(57)【要約】      （修正有）【課題】幅木本体と掛止クランプとの相互間に形成される隙間および足場板の端部と横架材との相互間に形成される隙間を小さくするか、皆無にできる枠組み足場用幅木を提供する。【解決手段】枠組み足場の横架材２に引掛ける掛止クランプ３ａを備えた足場板３の外側縁部に沿って配置される幅木本体４と、その下端部に回動可能に連結保持され幅木本体４と足場板３との間に形成される隙間を塞ぐ塞ぎ板５とを備えた枠組み足場用幅木において、幅木本体４を、足場板３に交差する向きに立ち上る帯板４ａと、その下縁部に片持ち状態でつながり塞ぎ板５との連結部位を形成するフランジ４ｂとで構成する。塞ぎ板５の両端部にそれぞれ一体連結し、塞ぎ板５の足場板側への回動、倒し込みにより、幅木本体４と掛止クランプ３ａとの相互間に形成される隙間および足場板３の端部と横架材２との相互間に形成される隙間の少なくとも一部分を覆い隠す遮蔽板７、８を設ける。【選択図】図１０
2015031032.tif 000002
【特許請求の範囲】
【請求項１】
枠組み足場の横架材に引掛ける掛止クランプを備えた足場板の外側縁部に沿って配置される幅木本体と、該幅木本体に回動可能に連結保持され、足場板側への回動、倒し込みにて該幅木本体と該足場板との間に形成される隙間を塞ぐ一方、幅木本体側への回動、引き起こしによって折り畳みを可能とする塞ぎ板とを備えた枠組み足場用幅木であって、
前記幅木本体は、前記足場板に交差する向きに立ち上がる帯板と、該帯板の下縁部に片持ち状態でつながり、前記塞ぎ板との連結部位を形成するフランジとを備え、
前記塞ぎ板に、その両端部にそれぞれ一体連結するとともに該塞ぎ板の足場板側への回動、倒し込みにより、該幅木本体と該掛止クランプとの相互間に形成される隙間および該足場板の端部と該横架材との相互間に形成される隙間の少なくとも一部分を覆い隠す遮蔽板を設けたことを特徴とする枠組み足場用幅木。
【請求項２】
前記遮蔽板は、前記幅木本体と前記掛止クランプとの相互間に形成される隙間および前記足場板の端部と前記横架材との相互間に形成される隙間の上面に配置可能な天板と、この天板の先端部分につながり下縁部を該足場板の上面に当接可能な垂下壁からなり、
前記垂下壁は、その内面壁に、前記足場板の掛止クランプに当接して枠組み足場の横架材に対する該足場板の滑動を抑制するストッパーを有することを特徴とする請求項１に記載した枠組み足場用幅木。
【請求項３】
前記フランジは、その自由端において立ち上がり、前記帯板の前面壁部と協働して上向きに開放された凹部を形成するとともに、前記塞ぎ板の、足場板側への回動、倒し込み姿勢において該塞ぎ板を突端部にて支持する起立壁を有することを特徴とする請求項１または２に記載した枠組み足場用幅木。
【請求項４】
前記フランジは、その両端部の下面においてそれぞれ垂下保持され、枠組み足場の横架材に載置、連係させて該帯板の該横架材に対する位置決めを行う一対の位置決めハンガーを有することを特徴とする請求項１〜３のいずれか１に記載した枠組み足場用幅木。
【請求項５】
前記帯板は、その背面壁部に、枠組み足場の支柱に連係して幅木本体を着脱自在に固定する固定手段を有し、
前記固定手段は、前記帯板の一端側に設けられた第１のフックと、該帯板の他端側に設けられた第２のフックとからなり、
前記第１のフックは、前記帯板の背面壁部に設けられたガイドと、このガイドに抜け止め保持され、該帯板の長手方向に沿うスライドおよびその軸心の周りに沿う時計周り、反時計周りの回動を可能とするロッドと、このロッドの先端につながり該支柱の背面に連係して該帯板との相互間で該支柱を挟持する鉤状部材とを備え、
前記第２のフックは、前記帯板の背面壁部に設けられたガイドと、このガイドに抜け止め保持され、その軸心の周りに沿う時計周り、反時計周りの回動を可能とするロッドと、このロッドの先端につながり該支柱の背面に連係して該帯板との相互間で該支柱を挟持する鉤状部材とを備え、
前記第１のフックおよび第２のフックの少なくとも一方には、該鉤状部材を該帯板の端部外方へ向けて付勢する弾性支持部材を設けることを特徴とする請求項１〜４のいずれか１に記載した枠組み足場用幅木。
【発明の詳細な説明】
【技術分野】
【０００１】
本発明は、建築現場や土木工事現場で構築される枠組み足場に用いて好適な幅木に関するものである。
【背景技術】
【０００２】
建築現場や土木工事現場において構築される枠組み足場は、建枠の支柱とこの支柱に溶接された横架材からなる一体構造の枠組みを形成し、対向する横架材の相互間に足場板を架け渡すことによって構成されている。
【０００３】
通常、この種の枠組み足場は、足場板に置かれた工具等や作業者が、該足場板から誤って落下するのを防止する観点から、足場板の外側縁部には、該足場板の外表面と交差する向きに立ち上った長尺の幅木（つま先板）が設置されている。
【０００４】
ところで、上記足場板は、幅寸の異なるものが混在していることがあり、かかる足場板を用いて枠組み足場を構築していく場合に、足場板の外側縁部と幅木との間に隙間が生じることがあり、幅木が本来もつ機能を十分に発揮させることができないことがあった。
【０００５】
足場板と幅木との間に形成される隙間を塞いで安全性の確保を図るべく、例えば、特許文献１には、一定の本体高さ幅を有する幅木板本体の内側に、足場板側への倒置が可能で、本体高さ幅より低い幅を有する補助板材を設けたものが提案されている。
【０００６】
また、特許文献２には、幅木本体の内側に、隙間を覆う塞ぎ板本体部と、この塞ぎ板本体部の一側縁部から立ち上がる取付板部とを着脱可能に取付け、塞ぎ板本体部の他側縁部を足場板上に載置するようにしたものが、さらに、特許文献３には、幅木本体の下端部分に、該幅木本体と重なるような垂直状態から、足場板側に倒した水平状態への転化を可能としたふさぎ板を幅木本体の下端部分に起伏自在に取り付けた構造のものが提案されている。
【先行技術文献】
【特許文献】
【０００７】
【特許文献１】特開２０１０−２５５３３２号公報
【特許文献２】特開２０１１−３２６８７号公報
【特許文献３】特開２０１２−１２７０９９号公報
【発明の概要】
【発明が解決しようとする課題】
【０００８】
上記の文献に開示された幅木は、いずれのものも、枠組み足場の構築に際して足場板と幅木との間に形成される隙間を塞ぐことが可能であって、安全性を確保する観点からは有用な手段であるとされていた。
【０００９】
しかしながら、普通、枠組み足場を構成する足場板には、その端部に掛止クランプが設けられており、この掛止クランプを横架材に引掛けることによりその相互間における架け渡しを実現しているところ、枠組み足場が組みあがった状態では該掛止クランプは、そのまま露出した状態におかれているため、幅木本体と掛止クランプとの相互間および足場板の端部と横架材との相互間には隙間が生じるのが避けられない状況にあった（足場板を複数間並べて配置する場合には、足場板の相互間においても大きな隙間が形成される）。
【００１０】
本発明の課題は、幅木本体と足場板との間に形成される隙間を覆い隠すと同時に、幅木本体と掛止クランプとの相互間に形成される隙間および足場板の端部と横架材との間に形成される隙間の少なくとも一部分を止クランプとの間に形成される隙間の少なくとも一部分を覆い隠すことができる枠組み足場用幅木を提案するところにある。
【課題を解決するための手段】
【００１１】
本発明は、枠組み足場の横架材に引掛ける掛止クランプを備えた足場板の外側縁部に沿って配置される幅木本体と、該幅木本体に回動可能に連結保持され、足場板側への回動、倒し込にて該幅木本体と該足場板との間に形成される隙間を塞ぐ一方、幅木本体側への回動、引き起こしによって折り畳みを可能とする塞ぎ板とを備えた枠組み足場用幅木であって、前記幅木本体は、前記足場板に交差する向きに立ち上がる帯板と、該帯板の下縁部に片持ち状態でつながり、前記塞ぎ板との連結部位を形成するフランジとを備え、前記塞ぎ板に、その両端部にそれぞれ一体連結するとともに該塞ぎ板の足場板側への回動、倒し込みにより、該幅木本体と該掛止クランプとの相互間に形成される隙間および該足場板の端部と該横架材との相互間に形成される隙間の少なくとも一部分を覆い隠す遮蔽板を設けたことを特徴とする枠組み足場用幅木である。
【００１２】
上記の構成からなる枠組み足場用幅木においては、前記遮蔽板を、前記幅木本体と前記掛止クランプとの相互間に形成される隙間および前記足場板の端部と前記横架材との相互間に形成される隙間の上面に配置可能な天板と、この天板の先端部分につながり下縁部を該足場板の上面に当接可能な垂下壁から構成し、前記垂下壁の内面壁に、前記足場板の掛止クランプに当接して枠組み足場の横架材に対する該足場板の滑動を防止するストッパーを設けることが望ましい。
【００１３】
また、上記の構成からなる枠組み足場用幅木においては、フランジに、該フランジの自由端にて立ち上がり、帯板の前面壁部と協働して上向きに開放された凹部を形成するとともに、塞ぎ板の、足場板側への回動、倒し込み姿勢において該塞ぎ板を突端部にて支持することができる起立壁を設けるのが好ましい。
【００１４】
また、上記の構成からなる枠組み足場用幅木においては、フランジに、その両端部の下面においてそれぞれ垂下保持され、枠組み足場の横架材に載置、連係させて該帯板の該横架材に対する位置決めを行う一対の位置決めハンガーを設けることができる。この場合、位置決めハンガーは、それら位置決めハンガーを同一の横架材に載置した場合において、側面同士が相互に対面する食い違い配置とするのが好ましい。
【００１５】
また、上記の構成からなる本発明の枠組み足場用幅木においては、帯板の背面壁部に、枠組み足場の支柱に連係して幅木本体を着脱自在に固定する固定手段を設けるのが望ましい。
【００１６】
上記固定手段としては、帯板の一端側に設けられた第１のフックと、帯板の他端側に設けられた第２のフックとからなるもの好適である。
【００１７】
第１のフックとしては、帯板の背面壁部に設けられたガイドと、このガイドに抜け止め保持され、該帯板の長手方向に沿うスライドおよびその軸心の周りに沿う時計周り、反時計周りの回動を可能とするロッドと、このロッドの先端につながり該支柱の背面に連係して該帯板との相互間で該支柱を挟持する鉤状部材とによって構成するのがよく、第２のフックとしては、帯板の背面壁部に設けられたガイドと、このガイドに抜け止め保持され、その軸心の周りに沿う時計周り、反時計周りの回動を可能とするロッドと、このロッドの先端につながり該支柱の背面に連係して該帯板との相互間で該支柱を挟持する鉤状部材とによって構成するのがよい。また、第１のフックおよび第２のフックのうちの少なくとも一方には、該鉤状部材を該帯板の端部外方へ向けて付勢する弾性支持部材を設けるのが好ましい。
【発明の効果】
【００１８】
本発明の枠組み用幅木によれば、塞ぎ板を足場板側に向けて回動、倒し込んで幅木本体と足場板の端部との間に形成される隙間を塞ぐとき、遮蔽板によって掛止クランプが覆い隠され、幅木本体と掛止クランプとの相互間に形成される隙間および足場板の端部と横架材との相互間に形成される隙間の少なくとも一部分を塞ぐことができる。また、塞ぎ板は、折り畳み可能であるため、梱包性がよい。
【００１９】
とくに掛止クランプを覆い隠し幅木本体と掛止クランプとの相互間に形成される隙間および足場板の端部と横架材との相互間に形成される隙間を小さくすることにより作業スペースの拡大を図ることができる。
【００２０】
また、本発明の枠組み用幅木によれば、遮蔽板を構成する垂下壁に、掛止クランプに当接するストッパーを設けたため、足場板の、横架材上での滑りを防止することができる。
【００２１】
また、本発明の枠組み用幅木によれば、フランジに、その自由端において立ち上がる起立壁を設け、この起立壁で倒し込んだ状態である塞ぎ板を支えるようにしたため、該塞ぎ板は、安定した姿勢に保持される。
【００２２】
また、本発明の枠組み足場用幅木によれば、フランジの両端部の下面に、位置決めハンガーを設けるようにしたため、該位置決めハンガーを横架材に載置、連係させるだけで、枠組み足場の横架材に対して幅木を正確に配置することが可能となり、枠組み足場の効率的な構築が可能となる。
【００２３】
また、本発明の枠組み足場用幅木によれば、幅木本体を構成する帯板の背面壁部に、固定手段を設けたため、幅木本体の、支柱への取付け、取り外しを簡便に行い得る。
【００２４】
固定手段は、具体的には、帯板の背面壁部に固定されるガイドと、このガイドに抜け止め保持され、該帯板の長手方向に沿うスライドおよびその軸心の周りに沿う時計周り、反時計周りの回動を可能とするロッドと、このロッドの先端につながり該支柱の背面に連係して該帯板との相互間で該支柱を挟持する鉤状部材とで構成される第１のフック、第２のフックとからなるものとしたため、構造の複雑化や大型化を伴うことはない。
【００２５】
第１のフック、第２のフックのうちの少なくとも一方に、弾性支持部材を設け、この弾性支持部材により該鉤状部材を該帯板の端部外方へ向けて付勢することにより、該弾性支持部材の付勢力に抗して鉤状部材をスライドさせない限り幅木本体の支柱における固定を解除することはできず、幅木は枠組み足場に確実に固定される。
【図面の簡単な説明】
【００２６】
【図１】枠組み足場の一部分の外観を斜視図で示した図である。
【図２】本発明に従う幅木の実施の形態を模式的に示した外観斜視図である。
【図３】図２に示した幅木の正面を示した図である。
【図４】図２に示した幅木の左側面を示した図である。
【図５】図２に示した幅木の右側面を示した図である。
【図６】図２に示した幅木の背面を示した図である。
【図７】図２に示した幅木の平面を示した図である。
【図８】図２に示した幅木において、塞ぎ板を折り畳んだ状態を示した図である。
【図９】本発明に従う幅木を枠組み足場に組み付けた状態を示した図である。
【図１０】本発明に従う幅木を枠組み足場に組み付けた状態を示した図である。
【図１１】（ａ）〜（ｃ）は、本発明に従う幅木の組み付け要領の説明図である。
【図１２】本発明に従う幅木の組み付け完了後の状態を示した外観斜視図である。
【図１３】本発明に従う幅木につき、掛止クランプとストッパーとの位置関係を示した図である。
【図１４】従来の幅木の配置状況をその平面について示した図である。
【図１５】本発明に従う幅木の配置状況をその平面について示した図である。
【図１６】本発明に従う幅木の他の実施の形態を模式的に示した外観斜視図である。
【発明を実施するための形態】
【００２７】
以下、図面を参照して本発明をより具体的に説明する。
図１は、枠組み足場の一部分を示した外観斜視図であり、図２は、図１に示した枠組み足場に適用可能な本発明に従う幅木の実施の形態を示した外観斜視図である。
【００２８】
また、図３は、図２に示した幅木の正面図であり、図４は、図３に示した幅木の左側面図であり、図５は、図３に示した幅木の右側面図であり、図６は、図３に示した幅木の背面図であり、図７は、図３に示した幅木の平面を示した図、図８は、本発明に従う幅木につき、塞ぎ板を折り畳んだ状態を示した図、さらに、図９、図１０は、図２〜８に示した幅木を図１に示した枠組み足場に組み付けた状態を示した図である。
【００２９】
図１〜１０における符号１は、枠組み足場を構成する建枠の支柱、２は、支柱１に連結された横架材である。これら支柱１、横架材２は、複数本用いられる。
【００３０】
また、３は、対向する横架材２の相互間に架け渡された矩形状の足場板である。この足場板３の四隅には、下方に向けて開放された凹部を有し、該凹部を横架材２の上部に適合させて該横架材２への連係を可能とする掛止クランプ３ａが設けられている。この足場板３と、上記の支柱１および横架材２によって枠組み足場が構成される。なお、支柱１、横架材２、足場板３は、基本的には金属製部材からなるものが適用される。また、掛止クランプ３ａは、横架材２の上部に被せるように適合させることにより引掛けることができるようになっている。
【００３１】
また、符号４は、足場板３の外側縁部３ｂに沿って配置される幅木本体である。この幅木本体４は、足場板３の外表面（フラットな面）に対して交差する向き（直交する向き）に立ち上る横長（対向する支柱の相互間に跨る長さを有する）の帯板４ａと、この帯板４ａの下縁部に片持ち状態でその壁面に直交する向きにつながるフランジ４ｂと、該帯板４ａの上縁部でその壁面に直交する向きにつながるフランジ４ｃとからなる。
【００３２】
フランジ４ｂ、４ｃはいずれも帯板４ａの強度（剛性）を高めるために設けられるが、帯板４ａの肉厚あるいは材質等を適宜変更することによりそれ自体を所望の強度にすることができるものであれば、フランジ４ｃについては省略することもできる。なお、フランジ４ｂ、４ｃは、ここでは、帯板４ａと同等の長さを有するものを示している。また、フランジ４ｃを設けるに当たっては、その先端に折り返し部を持った垂れ壁を設けてもよい。
【００３３】
また、５は、幅木本体４に回動可能に連結保持された塞ぎ板である。この塞ぎ板５は、その使用前は、梱包性の改善を図る観点から、帯板４ａと、フランジ４ｂおよびフランジ４ｃにて取り囲まれた空間内に折り畳み状態で収納されているが（図８参照）、幅木本体４を支柱１に固定したのち、該塞ぎ板５を足場板３側へ回動、倒し込むことにより幅木本体４と足場板３との間に形成される隙間Ｍを塞ぐことができるようになっている（図９、図１０参照）。塞ぎ板５は矩形状をなすものが適用される。
【００３４】
塞ぎ板５は、隙間Ｍを塞ぐ倒し込み姿勢において、足場板３の表面との間で隙間が形成されないように、その先端部には、垂れ板５ａが設けられている。この垂れ板５ａも塞ぎ板５と同等の長さを有している。
【００３５】
６は、フランジ４ｂと塞ぎ板５とを相互に連結して該塞ぎ板５を幅木本体４に対して回動可能に連結保持するヒンジ、７、８は、塞ぎ板５の両端部にそれぞれ一体連結する遮蔽板である。この遮蔽板７、８は、塞ぎ板５を足場板３側へ回動、倒し込むことによって該足場板３の掛止クランプ３ａの少なくとも一部分を覆い隠すようになっている。遮蔽板７、８によって掛止クランプ３ａの少なくとも一部分が覆い隠されると、幅木本体４と掛止クランプ３ａとの相互間に形成される隙間および足場板３の端部と横架材２との相互間に形成される隙間は小さくなる。
【００３６】
この遮蔽板７、８は、足場板３の掛止クランプ３ａの上面に位置する天板７ａ、８ａと、この天板７ａ、８ａの先端部につながり、下縁部を足場板２の外表面に当接させてその内側に掛止クランプ３ａの格納空間を形成する垂下壁７ｂ、８ｂからなる。
【００３７】
上記遮蔽板７、８の天板７ａ、８ａ、垂下壁７ｂ、８ｂは、この例では、塞ぎ板５、垂れ板５ａと一体連結した一枚ものとして図示してあり、その境界は明確に表れることはないがここでは便宜上点線を付して遮蔽板７、８と塞ぎ板５との境界を表すものとする。
【００３８】
また、９は、垂下壁７ｂ、８ｂの内側壁の下端に水平姿勢（足場板３の外表面と平行）で一体的に設けられた片持ち舌片状のストッパーである。このストッパー９は、掛止クランプ３ａあるいは足場板３に所期しない外力が付加されて掛止クランプ３ａが足場板３とともに横架材２上を滑ろうとしたとき、その先端部９ａが掛止クランプ３ａの側壁部分に当接してその動きを防止するようになっている。
【００３９】
ストッパー９としては、垂れ板７ｂ、８ｂの下縁部を内向き折り返して先端部をフランジ４ｂに向けた片持ち舌片状のものを例として示したが、該ストッパー９は、別部材を垂下壁７ｂ、８ｂのそれぞれに接合したものであってもよく、掛止クランプ３ａの動き（滑動）を阻止できるものであれば、その形状や取付け構造については図示のものには限定されない。また、ストッパー９は、塞ぎ板５の全長にわたって設けるようにしてもよい。
【００４０】
また、１０は、フランジ４ｂの自由端において立ち上がる起立壁である。この起立壁１０は、帯板４ａの前面壁部と協働して上向きに開放された凹部を形成するとともに、塞ぎ板５の、足場板３側への回動、倒し込み姿勢において、該塞ぎ板５をその突端部にて支持するものであって（図４、図５参照）、これにより塞ぎ板５を倒し込んだ状態においてもその姿勢が安定的に保持される。
【００４１】
１１ａ、１１ｂは、フランジ４ｂの両端部の下面においてそれぞれ垂下保持された一対の位置決めハンガーである。この位置決めハンガー１１ａ、１１ｂは、横架材２の上部外表面に適合可能な凹部が形成された薄肉の縦型プレートから構成されており、該凹部を該横架材２の上部外表面に適合させるべく、横架材２の上に載置、連係させるだけで、帯板４ａの、横架材２に対する位置決めを行うことが可能になっている。
【００４２】
位置決めハンガー１１ａ、１１ｂは、少なくともその厚さｔだけずらした食い違い配置とするのがよく（図４、図５参照）、これにより、同じ構成からなる幅木を同じ横架材を使って複数枚横並びに配列にして枠組み足場を構築する場合、隣接配置する幅木との干渉を回避することができる。なお、位置決めハンガー１１ａ、１１ｂは、薄肉の縦型プレートを例としたが、図示のような構造のものに限定されることはない。
【００４３】
１２は、帯板４ａの背面壁部に設けられ、幅木本体４を支柱１に着脱自在に固定する固定手段である。この固定手段１２は、帯板４ａの一端側に設けられた第１のフック１２ａと、該帯板４ａの他端側に設けられた第２のフック１２ｂから構成される。
【００４４】
第１のフック１２ａは、帯板４ａの背面壁部に固定された筒状のガイド１２ａ１と、このガイド１２ａ１にストッパーを介して抜け止め保持され、帯板４ａの長手方向（Ｘ）に沿うスライドとその軸心（Ｏ）の回りに沿う時計周り、反時計周りの回動を可能とするロッド１２ａ２と、このロッド１２ａ２の先端につながり支柱１の背面に連係して帯板４ａとの相互間で該支柱１を挟持する鉤状部材１２ａ３から構成されている。
【００４５】
また、第２のフック１２ｂは、帯板４ａの背面壁部に固定された筒状のガイド１２ｂ１と、このガイド１２ｂ１にストッパーを介して抜け止め保持され、その軸心（Ｏ）の回りに沿う時計周り、反時計周りの回動を可能とするロッド１２ｂ２と、このロッド１２ｂ２の先端につながり支柱１の背面に連係して帯板４ａとの相互間で該支柱１を挟持する鉤状部材１２ｂ３から構成されている。なお、ロッド１２ａ２、ロッド１２ｂ２の回動する範囲は、帯板４ａとの接触により規制される。
【００４６】
第１のフック１２ａ（ガイド１２ａ１と鉤状部材１２ａ３の間）には、鉤状部材１２ａ３を帯板４ａの端部外方へ向けて付勢する弾性支持部材（スプリング）１２ａ４が設けられている。弾性支持部材１２ａ４は、第２のフック１２ｂあるいはその両方に設けることもできる。
【００４７】
さらに、１３は、帯板４ａの背面壁部の一端側に設けられ、支柱１の前面に当接可能な舌片、１４は、帯板４ａの背面壁部の他端側に設けられ、隣接配置される幅木の端部に当接させて幅木同士を一直線状に配列させる当て板である。舌片１３は、弾性変形可能な板ばねの如き部材を適用することができる。
【００４８】
上記の構成からなる幅木を、図１に示した如き枠組み足場に取付けるには、枠組みを形成する支柱１の直近まで運び入れ、幅木本体４のフランジ４ｂに設けられた位置決めハンガー１１ａ、１１ｂを横架材２に載置、連係させると同時に、第１のフック１２ａの鉤状部材１２ａ３、第２のフック１２ｂの鉤状部材１２ｂ３をそれぞれそれらの直近に位置する支柱１に連係させて固定し（図９参照）、次いで、塞ぎ板５を足場板３側に向けて回動、倒し込めばよい（図１０参照）。
【００４９】
固定手段１２の第１のフック１２ａと、第２のフック１２ｂをそれぞれ支柱１に連係させるには、図１１（ａ）〜（ｃ）に示す如く、第１のフック１２ａの鉤状部材１２ａ３を、弾性支持部材１２ａ４の付勢力に抗して押圧しロッド１２ａ２を第２のフック１２ｂに向けてスライドさせ、第１のフック１２ａと第２のフック１２ｂとの相互間隔を狭める。そして、その状態を維持したまま、第２のフック１２ｂの鉤状部材１２ｂ３を支柱１の背面に連係させる（図１１（ａ））一方、第１のフック１２ａの鉤状部材１２ａ３に付加した押圧力を徐々に解除しながら、該鉤状部材１２ａ３をもう一方の支柱１の背面に連係させればよく（図１１（ｂ）（ｃ））、これにより、幅木本体４は、支柱１に固定されることになる。
【００５０】
本発明に従う幅木を支柱１に固定した状態の背面側の取付け状況を図１２に示す。
【００５１】
上記の手順に従うことによって、幅木本体４と足場板３との間に形成された隙間は塞がれることとなり、これと同時に幅木本体４と掛止クランプ３ａとの相互間に形成される隙間および足場板３の端部と横架材２との相互間に形成される隙間の少なくとも一部分が遮蔽板７、８によって塞がれる。
【００５２】
遮蔽板７、８によって幅木本体４と掛止クランプ３ａとの相互間に形成される隙間および足場板３の端部と横架材２との相互間に形成される隙間の少なくとも一部分が塞がれるとき、掛止クランプ３ａは該遮蔽板７、８によって覆われることになる。
【００５３】
遮蔽板７、８により掛止クランプ３ａが覆われた状態では、図１３に示すように、
掛止クランプ３ａの側壁部分にストッパー９が当接可能になっており、掛止クランプ３ａに所期しない外力が付加されて横架材２上で滑ろうとしても、その動きは抑制されることとなり、予め配置された部位に位置決めされることになる。
【００５４】
図１４、図１５は、幅木の片側端部をその平面について示した図である。従来の幅木にあっては、塞ぎ板５により隙間Ｍを塞いだ状態にあっても図１４に示すように幅木本体４と掛止クランプ３ａとの間および足場板３の端部と横架材２との間において隙間が形成されるのが避けられない。しかし、本発明に従う幅木は、遮蔽板７、８により図１５に示すように、幅木本体４と掛止クランプ３との間に形成される隙間、足場板３の端部と横架材２との間に形成される隙間をより小さくすることができる（寸法調整によっては、その隙間を無くすこともできる）。
【００５５】
図１６は、本発明に従う幅木の他の実施の形態を示した図である。この例は、塞ぎ板５にその先端部が足場板３に直接接触する傾斜を付与（垂れ板５ａを省略）した構造のものである（その他の構成は上掲図２〜図１５に示したものと同じ）。
【００５６】
かかる構造の幅木においては、塞ぎ板５と遮蔽板７、８との境界が屈曲線Ｌにより明瞭になるだけでなく、塞ぎ板５と足場板３との間に段差が形成されることがないため、その部位に突き当たって躓くのを防止できる利点がある。
【産業上の利用可能性】
【００５７】
本発明によれば、幅木本体と掛止クランプとの相互間に形成される隙間および足場板の端部と横架材との相互間に形成される隙間の少なくとも一部分を覆い隠すことによって塞ぎ板の長手方向の端部に形成される隙間を極小乃至は皆無にすることが可能となる。
【符号の説明】
【００５８】
１      支柱
２      横架材
３      足場板
３ａ    掛止クランプ
４      幅木本体
４ａ    帯板
４ｂ    フランジ
４ｃ    フランジ
５      塞ぎ板
５ａ    垂れ板
６      ヒンジ
７、８  遮蔽板
７ａ、８  天板
７ｂ、８ｂ  垂下壁
９      ストッパー
１０      起立壁
１１ａ、１１ｂ  位置決めハンガー
１２      固定手段
１２ａ    第１のフック
１２ｂ    第２のフック
１３    舌片
１４    当て板
Ｍ      隙間
Ｌ      屈曲線
【図１】
2015031032.tif 000003
【図２】
2015031032.tif 000004
【図３】
2015031032.tif 000005
【図４】
2015031032.tif 000006
【図５】
2015031032.tif 000007
【図６】
2015031032.tif 000008
【図７】
2015031032.tif 000009
【図８】
2015031032.tif 000010
【図９】
2015031032.tif 000011
【図１０】
2015031032.tif 000012
【図１１】
2015031032.tif 000013
【図１２】
2015031032.tif 000014
【図１３】
2015031032.tif 000015
【図１４】
2015031032.tif 000016
【図１５】
2015031032.tif 000017
【図１６】
2015031032.tif 000018